(57)【特許請求の範囲】
【請求項１】
浴槽（１）の上端部に下向きの凹溝（９）が形成され、並列した複数枚の浴槽エプロン（２，３，４）の上端部に凸条（１０）が形成され、前記凸条（１０）が前記凹溝（９）に収容される浴槽エプロン取付構造において、
前記凹溝（９）にはその奥行き幅を部分的に狭くする支持部（１１）が形成され、
前記複数枚の浴槽エプロン（２，３，４）における凸条（１０）には、支持部（１１）に対応する基準箇所（Ｋ）の前後の少なくとも一方に、基準箇所（Ｋ）よりも奥行き幅の狭い挿入部（１５）が形成され、
前記凸条（１０）は凹溝（９）へ奥行き方向でガタツキなく収容される、浴槽への浴槽エプロン取付構造。
【発明の詳細な説明】
【０００１】
【発明の属する技術分野】
本発明は、浴槽への浴槽エプロン取付構造に関する。
【０００２】
【従来の技術】
浴槽の側面に浴槽エプロンを取り付ける従来の構造としては図１１（イ）に示すように、下向きの凹溝９１を浴槽９２の上端部の洗場側に沿って形成すると共に、凹溝の横幅を狭くする複数の支持部９３を凹溝の所々に突出し、一方、浴槽エプロン９４の上端部に沿って凹溝に収容する凸条９５を形成し、凸条の横幅を全長に亘って均一に形成した構造が知られている。
【０００３】
ところが、従来の構造は、凹溝内で凸条がガタつかないように、支持部で狭くした横幅に凸条の横幅を合わせて形成してあったので、取付の際に浴槽エプロンを傾けて凸条を凹溝に差し込む作業に、多少手間取ることがあった。
【０００４】
また、従来の構造は床９６の設計によっては、取付け作業に支障を生ずる場合があった。具体的に言えば、図１１（ロ）に示すように、床９６の縁部を中央側に対して段差状に高く設計した場合には、浴槽エプロンを傾けて凹溝に凸条を差し込む際に、浴槽エプロンの下端が床面に干渉しないものの、段差が低い場合や、図１２に示すように段差がなく床が縁部から中央に向かって傾斜している場合には、浴槽エプロンの下端が床面に干渉しやすくなり、取り付けが困難となる。
【０００５】
上述した取付性は、平面視した浴槽の洗場側の辺が曲線形状である場合には、一段と困難となった。というのは、洗場側の辺の形状に関係なく、従来、凸条の左辺及び右辺は、平面視して洗場側の辺と平行に形成してあったからである。つまり、凸条の左辺及び右辺が直線形状の場合は、凹溝に凸条を差し込むために浴槽エプロンを傾けても、左辺及び右辺は洗場側の辺と平行を保つので、凸条が複数の支持部に当たる具合が均一であった。ところが、凸条の左辺及び右辺が曲線形状の場合は、浴槽エプロンを傾けると、凸条の左辺及び右辺が洗い場側の辺とは平行ではなく、異なる曲線となり、凸条が複数の支持部に当たる具合が不均一になった。従って、曲線形状の場合に凸条を凹溝に差し込むには、支持部への当たり具合が均一になるように、浴槽エプロンをできるだけ起こした状態で行わなければならず、その結果、浴槽エプロンの下端が床に干渉しやすくなった。
【０００６】
【発明が解決しようとする課題】
本発明は上記実情を考慮して開発されたもので、その目的は、浴槽エプロンの取付作業を容易に行える浴槽への浴槽エプロン取付構造を提供することである。
【０００７】
【課題を解決するための手段】
上記目的を達成するため、本発明では次の構成をとった。すなわち、
本発明は、浴槽１の上端部に下向きの凹溝９が形成され、並列した複数枚の浴槽エプロン２，３，４の上端部に凸条１０が形成され、前記凸条１０が前記凹溝９に収容される浴槽エプロン取付構造において、
前記凹溝９にはその奥行き幅を部分的に狭くする支持部１１が形成され、
前記複数枚の浴槽エプロン２，３，４における凸条１０には、支持部１１に対応する基準箇所Ｋの前後の少なくとも一方に、基準箇所Ｋよりも奥行き幅の狭い挿入部１５が形成され、
前記凸条１０は凹溝９へ奥行き方向でガタツキなく収容される、浴槽への浴槽エプロン取付構造である。
【０００８】
挿入部を有する浴槽エプロンを取り付ける場合は、挿入部を支持部に合わせた状態で凸条を凹溝に差し込み、浴槽エプロンを前又は後にスライドさせて基準箇所を支持部に合わせる。ただし、全枚数の浴槽エプロンの凸条に挿入部を設けた場合は、最後に取り付ける浴槽エプロンは、スライドさせる領域がないので、支持部に基準箇所を合わせて凸条を凹溝に差し込む。また、挿入部は、基準箇所から段差状に幅が狭くなる形状であっても良いが、基準箇所から徐々に幅が狭くなる部分を有する形状の方が、取付の際に、基準箇所を支持部に合わせるためにスライドさせる作業が円滑に行える。
【０００９】
【発明の実施の形態】
本発明の浴槽への浴槽エプロン取付構造の第一実施形態は、図１及び図２に示すように、浴槽１の側面を三枚の浴槽エプロン２，３，４で隠蔽する例である。
【００１０】
浴槽１は、俗にＰ型浴槽と呼ばれるもので、図１及び図５に示すように、湯を溜める内壁５の上端から外側に天壁６を突出し、天壁６の洗場側の辺７がその前後方向の中間部で湾曲し、天壁６の洗場側端に沿って鍔壁８を垂下し、内壁５と天壁６と鍔壁８で下向きの凹溝９を形成してある。
【００１１】
凹溝９内は、図６に示すように、中央の浴槽エプロン３の凸条１０の前後端部に対応する箇所では、板状の支持部１１を鍔壁８の内側及び天壁６からそれぞれ突出することによって、横幅を支持部１１で部分的に狭くし、左右の支持部１１，１１間に凸条１０を殆どがたつきなく保持してある。また、凸条１０の中間部に対応する箇所では、別の支持部１１を天壁６から突出して、凸条１０の中間部を内側から支えてある。なお、凹溝９内は、前後の浴槽エプロン２，４も同様に保持してある。
【００１２】
中央の浴槽エプロン３は図５に示すように、鍔壁８から隙間Ｇを挟んで垂下する主壁１２で浴槽１の側面を覆い、床１３に載せる底壁１４を主壁１２の下端部に有し、凹溝９内に収容される階段状の凸条１０を主壁１２の上端部に有する。また、中央の浴槽エプロン３は、凸条１０を凹溝９に差し込んだ後に、前側にスライドさせることによって、左右に殆どがたつかない状態で取り付けるものである。従って、中央の浴槽エプロン３の凸条１０は図１、図２、図６に示すように、左右の支持部１１，１１間に挟まれる箇所を基準箇所Ｋとすると、各基準箇所Ｋの前側に、基準箇所Ｋよりも横幅の狭い挿入部１５を、支持部１１の厚みよりも前後に長く形成してある。前側の挿入部１５は、横幅が前に向かうにつれて徐々に狭くなり、その狭い横幅を一定長さ連続している。また、後側の挿入部１５は、横幅が前に向かうにつれて徐々に狭くなり、その後、緩やかに広くなっている。なお、両挿入部１５，１５の前側部分の左辺は、図６に示すように、平行な直線形状にしてあるので、凹溝９を凸条１０に差し込む際に湾曲した浴槽エプロン３を傾けても、平行を維持することになり、差し込みが容易になる。
【００１３】
中央の浴槽エプロン３は、図２に示すように平面視すると、主壁１２の洗場側の辺１６を、浴槽２の洗場側の辺７と同一形状（平行）とし、凸条１０の左辺１７及び右辺１８を、浴槽２の辺７とは平行形状としていない。左辺１７及び右辺１８は、図７に示すように、挿入部１５を両支持部１１，１１間に差し込んだ状態で、鍔壁８及び支持部１１に接触しない形状にしてあるので、凸条１０を凹溝９に差し込みやすい。
【００１４】
前後の浴槽エプロン２，４は、通常の方式、つまり凸条１０を凹溝９に単に差し込んで取り付けるものである。従って、それらの凸条１０は、図２に示すように、挿入部１５がなく、左辺及び右辺を直線形状にすると共に、その横幅を前後方向に沿って均一に形成してある。
【００１５】
各浴槽エプロン２，３，４は、前側、中央、後側の順序で浴槽１に取り付ける。前側の浴槽エプロン２と中央の浴槽エプロン３を連結するために、図３から図５に示すように、前側浴槽エプロン２の後壁１９には連結片２０を内壁５に向かって突出し、一方、中央の浴槽エプロン３の前壁２１には鉤型の被連結片２２を内壁５から前側に向かって屈曲して突出してある。従って、中央の浴槽エプロン３を取付時にスライドさせると、連結片２０の抜穴２３に被連結片２２の先部が自然と挿入される。また、被連結片２２の先端部を膨大形状にして抜穴２３から外れ難くしてある。なお、図２に示すように、中央の浴槽エプロン３と後側の浴槽エプロン４を同様に連結する為に、中央の浴槽エプロン３の後壁に連結片２０を有し、後側の浴槽エプロン４の前壁に被連結片２２を有している。
【００１６】
中央の浴槽エプロン３を床１３に固定する構造は、図８及び図９に示すように、床１３にバネ性のクリップ２４を固定し、浴槽エプロン３の底壁１４の前後部分をクリップ２４と床１３の間にそれぞれ挟む構造である。また、浴槽エプロン３を取付時に床１３に載せた状態でスライドさせる操作によって底壁１４を挟むために、クリップ２４の差込方向をスライド方向に合わせてある。さらに、底壁１４の被挟持部２５の前辺をクリップ２４の横幅方向とほぼ平行に形成して、クリップ２４と床１３の間に被挟持部２５が侵入しやすいようにしてある。
【００１７】
本発明の浴槽への浴槽エプロン取付構造の第二実施形態は、図１０に示すように、前側の浴槽エプロン２の凸条１０に挿入部１５を有し、凸条１０の右辺が鍔壁８に平行な一直線の形状で、凸条１０の左辺が挿入部１５以外では鍔壁８に平行な一直線の形状である。また、凸条１０の洗場側を鍔壁８で支持し、凸条１０の内側を支持部１１で支持してある。
【００１８】
上述した本発明は図５（ロ）に示すように、挿入部１５の横幅が基準箇所Ｋよりも狭いので、支持部１１に挿入部１５を合わせて凸条１０を凹溝９に差し込めば、基準箇所Ｋを支持部１１に合わせて差し込むよりも、差し込みやすい。また、挿入部１５の横幅が基準箇所Ｋよりも狭いので、浴槽エプロン３の傾きが浅くても凸条１０を凹溝９内に挿入できることになり、その結果、浴槽エプロン３の下端が床に干渉し難くなる。
【００１９】
なお、本発明は上記実施形態に限定されるものではない。例えば、浴槽エプロンの枚数は、３枚に限らず、２枚、又は４枚以上であっても良い。
【００２０】
【発明の効果】
本発明は、支持部で保持される基準箇所よりも横幅の狭い挿入部を凸条に設けてあるので、挿入部を支持部に合わせた状態で凸条を凹溝に差し込めば、支持部と挿入部の間に隙間ができ、従来よりも差し込みやすくなる。また、挿入部の横幅を狭くしてあるので、浴槽エプロンを従来よりも傾けても凸条を凹溝に差し込むことができ、取付の際に浴槽エプロンの下端が床に干渉し難くなることから、取付作業が容易になる。従って、浴槽エプロンの凸条が湾曲した形状の場合には、特に効果的である。
【図面の簡単な説明】
【図１】本発明の浴槽エプロン取付構造の第一実施形態の平面図及び一部切欠部分拡大図（平面図）である。
【図２】浴槽への浴槽エプロン（３枚）取付を説明する分解図である。
【図３】浴槽エプロンの凸条を凹溝に差し込んだ状態を示す平面図である。
【図４】図５（イ）のＣ−Ｃ線水平断面図で、前側の浴槽エプロンと中央の浴槽エプロンの連結部分の拡大図である。
【図５】（イ）は図１のＡ−Ａ線縦断面図で、（ロ）は図３のＢ−Ｂ線縦断面図である。
【図６】中央の浴槽エプロンの凸条を凹溝内の支持部で保持した状態を説明する水平断面図である。
【図７】中央の浴槽エプロンの凸条を凹溝内に差し込んだ状態を説明する水平断面図である。
【図８】（イ）は図５（イ）のＤ−Ｄ線水平断面図で、底壁をクリップで挟持した状態を示す。（ロ）は同Ｄ−Ｄ線水平断面図で底壁をクリップで挟持する直前の状態を示す。
【図９】（イ）は図８（イ）のＡ−Ａ線端面図を拡大して床を下に向けた状態を示す。（ロ）は図８（ロ）のＢ−Ｂ線端面図を拡大して床を下に向けた状態を示す。
【図１０】本発明の浴槽エプロン取付構造の第二実施形態の水平断面図で、（イ）は支持部と鍔壁の間に凸条を保持した状態、（ロ）は凸条を差し込むときの状態を表す。
【図１１】従来の浴槽への浴槽エプロン取付構造を示す縦断面図で、（イ）は浴槽エプロンを取り付けた状態を表し、（ロ）は凸条を凹溝に差し込む状態を表す。
【図１２】従来の浴槽への浴槽エプロン取付構造を示す別の例の縦断面図である。
【符号の説明】
Ｇ：隙間          Ｋ：基準箇所
１：浴槽      ２，３，４：浴槽エプロン
５：内壁          ６：天壁
７：辺            ８：鍔壁
９：凹溝        １０：凸条
１１：支持部      １２：主壁
１３：床          １４：底壁
１５：挿入部      １６：辺
１７：左辺        １８：右辺
１９：後壁        ２０：連結片
２１：前壁        ２２：被連結片
２３：抜穴        ２４：クリップ
２５：被挟持部
【図１】
0004092611.tif 000002
【図２】
0004092611.tif 000003
【図３】
0004092611.tif 000004
【図４】
0004092611.tif 000005
【図５】
0004092611.tif 000006
【図６】
0004092611.tif 000007
【図７】
0004092611.tif 000008
【図８】
0004092611.tif 000009
【図９】
0004092611.tif 000010
【図１０】
0004092611.tif 000011
【図１１】
0004092611.tif 000012
【図１２】
0004092611.tif 000013